【手続補正書】
【提出日】平成27年12月24日(2015.12.24)
【手続補正１】
【補正対象書類名】特許請求の範囲
【補正対象項目名】全文
【補正方法】変更
【補正の内容】
【特許請求の範囲】
【請求項１】
ファーストスクリーン上のコンテンツに関連するソーシャルメッセージの集合であって、前記ファーストスクリーン上の前記コンテンツと同期が取られた、前記ソーシャルメッセージの集合を、セカンドスクリーン上で提供する方法であって、
前記ファーストスクリーン上に表示されているコンテンツに関連する１つまたは複数のメッセージを求めてソーシャルメディアをモニタリングするステップと、
前記１つまたは複数のメッセージの関連性を決定するために、前記ファーストスクリーン上に表示されているコンテンツに関連する前記１つまたは複数のメッセージを処理するステップと、
前記セカンドスクリーン上に表示するために、１つまたは複数の関連性のあるメッセージの集合を提供するステップと、
を含む、前記方法。
【請求項２】
モニタリングされる前記ソーシャルメディアは、ツイッターである、請求項１に記載の方法。
【請求項３】
前記処理するステップは、前記メッセージが再送された数または回数に基づいて、前記１つまたは複数のメッセージの前記関連性を決定するステップを含む、請求項２に記載の方法。
【請求項４】
モニタリングされる前記ソーシャルメディアは、フェイスブックである、請求項１に記載の方法。
【請求項５】
前記処理するステップは、前記メッセージが受け取ったコメントに基づいて、前記１つまたは複数のメッセージの前記関連性を決定するステップを含む、請求項４に記載の方法。
【請求項６】
前記処理するステップは、前記１つまたは複数のメッセージがユーザに宛てられたものかどうかに基づいて、前記１つまたは複数のメッセージの前記関連性を決定するステップを含む、請求項１に記載の方法。
【請求項７】
前記提供するステップは、前記ファーストスクリーン上に表示されている前記コンテンツと同期が取られた、イベントのタイムライン内のイベントとして、前記集合を提供するステップを含む、請求項１に記載の方法。
【請求項８】
前記モニタリングするステップは、リモートで実行される、請求項１に記載の方法。
【請求項９】
前記提供された集合のうちの前記１つまたは複数の関連性のあるメッセージに関するソーシャルメッセージを送信する機能を提供するステップ
をさらに含む、請求項１に記載の方法。
【請求項１０】
セカンドスクリーンデバイスであって、
コンテンツを表示するように構成されたスクリーンと、
データを記憶するための記憶装置と、
ファーストスクリーンデバイス上に表示されているコンテンツに関連する１つまたは複数のメッセージを求めてソーシャルメディアをモニタリングし、前記１つまたは複数のメッセージの関連性を決定するために、前記ファーストスクリーンデバイス上に表示されているコンテンツに関連する前記１つまたは複数のメッセージを処理し、前記セカンドスクリーンデバイス上に表示するために、１つまたは複数の関連性のあるメッセージの集合を提供するように構成されたプロセッサーと、
を備える、前記セカンドスクリーンデバイス。
【請求項１１】
無線通信のための無線ネットワークインターフェースをさらに備える、請求項１０に記載のセカンドスクリーンデバイス。
【請求項１２】
前記プロセッサーは、ソーシャルメディアへのアクセスを提供するようにさらに構成される、請求項１０に記載のセカンドスクリーンデバイス。
【請求項１３】
前記セカンドスクリーンデバイスは、タッチスクリーンデバイスを備える、請求項１０に記載のセカンドスクリーンデバイス。
【請求項１４】
ファーストスクリーン上に表示されているコンテンツに関連する１つまたは複数のメッセージを求めてソーシャルメディアをモニタリングするステップと、
前記１つまたは複数のメッセージの関連性を決定するために、前記ファーストスクリーン上に表示されているコンテンツに関連する前記１つまたは複数のメッセージを処理するステップと、
セカンドスクリーン上に表示するために、１つまたは複数の関連性のあるメッセージの集合を提供するステップと、
を含むステップをプロセッサーに実行させるための命令を格納した、機械可読記録媒体。
【手続補正２】
【補正対象書類名】明細書
【補正対象項目名】０１２４
【補正方法】変更
【補正の内容】
【０１２４】
加えて、上述の説明は、もっぱら例として意図されており、以下の特許請求の範囲で説明される場合を除き、本発明を制限することを決して意図していない。
＜付記１＞
ファーストスクリーン上のコンテンツに関連するソーシャルメッセージの集合であって、前記ファーストスクリーン上のコンテンツと同期が取られた、前記ソーシャルメッセージの集合を、セカンドスクリーン上で提供する方法であって、
前記ファーストスクリーン上に表示されているコンテンツに関連する１または複数のメッセージを求めてソーシャルメディアをモニタリングするステップと、
前記１または複数のメッセージの関連度を決定するために、前記ファーストスクリーン上に表示されているコンテンツに関連する１または複数のメッセージを処理するステップと、
前記セカンドスクリーン上に表示するために、関連する１または複数のメッセージの集合を提供するステップと、
を含む、前記方法。
＜付記２＞
モニタリングされる前記ソーシャルメディアは、ツイッターである、付記１に記載の方法。
＜付記３＞
前記処理するステップは、前記メッセージが再送された数または回数に基づいて、前記１または複数のメッセージの前記関連度を決定するステップを含む、付記２に記載の方法。
＜付記４＞
モニタリングされる前記ソーシャルメディアは、フェイスブックである、付記１に記載の方法。
＜付記５＞
前記処理するステップは、前記メッセージが受け取ったコメントに基づいて、前記１または複数のメッセージの前記関連度を決定するステップを含む、付記４に記載の方法。
＜付記６＞
前記処理するステップは、前記１または複数のメッセージがユーザに宛てられたものかどうかに基づいて、前記１または複数のメッセージの前記関連度を決定するステップを含む、付記１に記載の方法。
＜付記７＞
前記提供するステップは、前記ファーストスクリーン上に表示されている前記コンテンツと同期が取られた、イベントのタイムライン内のイベントとして、前記集合を提供するステップを含む、付記１に記載の方法。
＜付記８＞
モニタリングする前記ステップは、リモートで実行される、付記１に記載の方法。
＜付記９＞
前記提供された集合のうちの前記１または複数の関連するメッセージに関するソーシャルメッセージを送信する機能を提供するステップ
をさらに含む、付記１に記載の方法。
＜付記１０＞
コンテンツを表示するように構成されたスクリーンと、
データを記憶するための記憶装置と、
ファーストスクリーン上に表示されているコンテンツに関連する１または複数のメッセージを求めてソーシャルメディアをモニタリングし、前記１または複数のメッセージの関連度を決定するために、前記ファーストスクリーン上に表示されているコンテンツに関連する前記１または複数のメッセージを処理し、セカンドスクリーン上に表示するために、関連する前記１または複数のメッセージの集合を提供するように構成されたプロセッサーと、
を備える、セカンドスクリーンデバイス。
＜付記１１＞
無線通信のための無線ネットワークインターフェースをさらに備える、付記１０に記載のセカンドスクリーンデバイス。
＜付記１２＞
前記プロセッサーは、ソーシャルメディアへのアクセスを提供するようにさらに構成される、付記１０に記載のセカンドスクリーンデバイス。
＜付記１３＞
前記セカンドスクリーンデバイスは、タッチスクリーンデバイスを備える、付記１０に記載のセカンドスクリーンデバイス。
＜付記１４＞
実行されたときに、
ファーストスクリーン上に表示されているコンテンツに関連する１または複数のメッセージを求めてソーシャルメディアをモニタリングするステップと、
前記１または複数のメッセージの関連度を決定するために、前記ファーストスクリーン上に表示されているコンテンツに関連する前記１または複数のメッセージを処理するステップと、
セカンドスクリーン上に表示するために、１または複数の関連するメッセージの集合を提供するステップと、
を含むステップを実行する命令を含む、機械可読媒体。